(57)【要約】【課題】端部におけるリークを防止すると共に引張荷重に対して十分な強度を確保することのできるフラット電線の端末処理構造及び端末処理方法を提供する。【解決手段】フラット電線ＦＤの端部に、末端部２１を除いた所定範囲の絶縁連結部２０を長手方向に沿って切除することにより各絶縁導体Ｄの間隔を幅方向に調整可能とした圧接部分２２が形成される。圧接コネクタ５０は、圧接刃４２を備えた圧接端子金具４０が取付けられるコネクタハウジング６０と、圧接刃４２に対する圧接部分２１を覆うようにコネクタハウジング６０に取付けられるカバー７０とを備えている。圧接部分が圧接刃４２に圧接された後、フラット電線ＦＤの端部をカバー７０の外面に沿わせるように末端部２１を折り返して中央側のフラット電線ＦＤに重ね合わせた状態で、該末端部２１の端末面３１を内包して外部から絶縁するように結束部材３０が巻装される。【選択図】        図１
2004165055.tif 000002
【特許請求の範囲】
【請求項１】
並設された複数の導体を絶縁被覆してなるフラット電線の端部に、圧接コネクタを取付ける為のフラット電線の端末処理構造であって、
前記フラット電線の端部には、末端部を除いた所定範囲の絶縁連結部を長手方向に沿って切除することにより各絶縁導体の間隔を幅方向に調整可能とした圧接部分が形成されると共に、
前記圧接コネクタは、圧接刃を備えた圧接端子金具が取付けられるコネクタハウジングと、前記圧接刃に対する前記圧接部分を覆うように前記コネクタハウジングに取付けられるカバーとを備えており、
前記圧接部分が前記圧接刃に圧接された後、前記フラット電線の端部を前記カバーの外面に沿わせるように前記末端部を折り返して中央側の前記フラット電線に重ね合わせた状態で、該末端部の端末面を内包して外部から絶縁するように結束部材が巻装されていることを特徴とするフラット電線の端末処理構造。
【請求項２】
並設された複数の導体を絶縁被覆してなるフラット電線の端部に、圧接コネクタを取付ける為のフラット電線の端末処理方法であって、
前記フラット電線の端部に、末端部を除いた所定範囲の絶縁連結部を長手方向に沿って切除することにより各絶縁導体の間隔を幅方向に調整可能とした圧接部分を形成し、コネクタハウジングに取付けられた圧接端子金具の圧接刃に前記圧接部分を圧接した後、前記圧接刃に対する前記圧接部分を覆うように前記コネクタハウジングにカバーを取付け、前記フラット電線の端部を前記カバーの外面に沿わせるように前記末端部を折り返して中央側の前記フラット電線に重ね合わせた状態で、該末端部の端末面を内包して外部から絶縁するように結束部材を巻装することを特徴とするフラット電線の端末処理方法。
【発明の詳細な説明】
【０００１】
【発明の属する技術分野】
本発明は、並設された複数の導体を絶縁被覆してなるフラット電線の端部に、圧接コネクタを取付ける為のフラット電線の端末処理構造及び端末処理方法に関するものである。
【０００２】
【従来の技術】
従来より、並設された複数の導体を絶縁被覆してなるフラット電線を電気機器等に接続して回路体を構成する場合、長尺状のフラット電線を所望の長さに切断して用いるのが普通である。
そして、例えば図９に示したように、フラット電線ＦＤを電気機器等に接続する場合には、該フラット電線ＦＤの端部に取り付けられた圧接コネクタ１１０が用いられている（例えば、特許文献１参照）。
【０００３】
前記圧接コネクタ１１０は、図９に示すように、図示省略の複数の圧接端子を収容するコネクタ本体（コネクタハウジング）１１１と、このコネクタ本体１１１の後端面を覆う保持部材（カバー）１１２とを有している。
そして、前記コネクタ本体１１１の後端面に突出した前記圧接端子の圧接刃に圧接されたフラット電線ＦＤの各絶縁導体Ｄは、略直角に折り曲げられた状態で保持部材１１２に挟持固定されている。尚、各絶縁導体Ｄの端部は、切断面１１３ａ，１１３ｂが交互に千鳥状に位置するように切断されることで、各導体間の沿面距離を稼いでリーク電流を流れ難くしている。
【０００４】
【特許文献１】
特開２００２−２２３５１３号公報（第２−３頁、第１図）
【０００５】
【発明が解決しようとする課題】
ところで、近年の電気機器等の小型化に伴って、フラット電線に取り付けられる圧接コネクタも小型化が図られており、該圧接コネクタに収容される圧接端子の各圧接刃も小型化され、互いのピッチも高精度に設定されている。
そこで、フラット電線に圧接コネクタを取り付ける際には、フラット電線の各絶縁導体が所定のピッチとなるように位置決めされた圧接部分の長手方向前後両側において、該フラット電線を動かないように一対の電線押えで保持固定してから圧接することが行われている。
【０００６】
しかしながら、上述のようにフラット電線の端部に圧接コネクタを取り付けた際には、該フラット電線の端部側に保持固定する為の余長部分が発生するという問題がある。この様な不所望の余長部分は、導体間のリーク電流や短絡を招く可能性があるので、圧接後に余長部分を切除することも考えられるが、新たに余長部分の切断工程が増えと作業性が悪化すると共にコスト上昇を招くという問題が生じる。
【０００７】
また、圧接コネクタの小型化に伴って小型化された圧接端子の各圧接刃は、フラット電線に引張り力が作用した際に圧接部に影響を受け易くなる。そこで、カバーによる挟持固定だけでは十分でなく、前記圧接コネクタはフラット電線の引っ張り荷重に対して弱くなることもある。
【０００８】
従って、本発明の目的は上記課題を解消することに係り、端部におけるリークを防止すると共に引張荷重に対して十分な強度を確保することのできるフラット電線の端末処理構造及び端末処理方法を提供することにある。
【０００９】
【課題を解決するための手段】
本発明の上記目的は、並設された複数の導体を絶縁被覆してなるフラット電線の端部に、圧接コネクタを取付ける為のフラット電線の端末処理構造であって、前記フラット電線の端部には、末端部を除いた所定範囲の絶縁連結部を長手方向に沿って切除することにより各絶縁導体の間隔を幅方向に調整可能とした圧接部分が形成されると共に、
前記圧接コネクタは、圧接刃を備えた圧接端子金具が取付けられるコネクタハウジングと、前記圧接刃に対する前記圧接部分を覆うように前記コネクタハウジングに取付けられるカバーとを備えており、
前記圧接部分が前記圧接刃に圧接された後、前記フラット電線の端部を前記カバーの外面に沿わせるように前記末端部を折り返して中央側の前記フラット電線に重ね合わせた状態で、該末端部の端末面を内包して外部から絶縁するように結束部材が巻装されていることを特徴とするフラット電線の端末処理構造により達成される。
【００１０】
また、本発明の上記目的は、並設された複数の導体を絶縁被覆してなるフラット電線の端部に、圧接コネクタを取付ける為のフラット電線の端末処理方法であって、
前記フラット電線の端部に、末端部を除いた所定範囲の絶縁連結部を長手方向に沿って切除することにより各絶縁導体の間隔を幅方向に調整可能とした圧接部分を形成し、コネクタハウジングに取付けられた圧接端子金具の圧接刃に前記圧接部分を圧接した後、前記圧接刃に対する前記圧接部分を覆うように前記コネクタハウジングにカバーを取付け、前記フラット電線の端部を前記カバーの外面に沿わせるように前記末端部を折り返して中央側の前記フラット電線に重ね合わせた状態で、該末端部の端末面を内包して外部から絶縁するように結束部材を巻装することを特徴とするフラット電線の端末処理方法により達成される。
【００１１】
上記構成のフラット電線の端末処理構造及び端末処理方法によれば、複数の絶縁導体が絶縁連結部により並列に連結されたフラット電線の端部には、絶縁連結部により各絶縁導体の間隔が保持されたままの末端部と、所定範囲の絶縁連結部を長手方向に沿って切除することにより各絶縁導体の間隔を幅方向に調整可能とされた圧接部分とが形成される。
【００１２】
そして、前記フラット電線の端部をコネクタハウジングの圧接端子金具の圧接刃に圧接する際には、前記圧接部分の長手方向前後両側に位置する前記末端部及び中央側のフラット電線が動かないように保持固定されると共に、前記圧接部分の各絶縁導体が間隔を幅方向に調整可能とされているので、これら絶縁導体が高精度な各圧接刃のピッチに合わせて正確に位置決めされ、確実に圧接される。
【００１３】
そして、前記圧接刃に対する前記圧接部分を覆うように前記コネクタハウジングにカバーを取付け、該カバーにより各絶縁導体を挟持固定した後、前記フラット電線の端部を前記カバーの外面に沿わせるようにして、余長部分となった前記末端部を折り返して中央側の前記フラット電線に重ね合わせる。この状態で、前記末端部の端末面を内包して外部から絶縁するように、結束部材を巻装する。
【００１４】
そこで、圧接完了後に余長部分となった前記末端部は、中央側の前記フラット電線に重ね合わせるようにして折り返され、且つ、結束部材により結束されるので、バタつきが防止される。
また、前記末端部の端末面が、巻装した結束部材により覆われて外部から絶縁されると共に、該末端部は絶縁連結部により各絶縁導体の間隔が保持されたままであるので、隣接する末端面の導体同士が不用意に接近することもなく、リークや短絡を確実に防止することができる。
【００１５】
更に、前記フラット電線の端部を前記カバーの外面に沿わせるようにして余長部分となった前記末端部を折り返し、中央側の前記フラット電線に重ね合わせて結束部材により結束することにより、該フラット電線の端部が前記カバーの外面に沿って密着固定されるので、フラット電線に引張り力が作用した際にも、前記圧接部は影響を受け難くなる。
【００１６】
【発明の実施の形態】
以下、添付図面に基づいて本発明の一実施形態に係るフラット電線の端末処理構造及び端末処理方法を詳細に説明する。
図１及び図２は、本発明の一実施形態に係るフラット電線の端末処理構造を示す前後方向から見た斜視図である。
【００１７】
図１及び図２に示すように、本実施形態に係るフラット電線の端末処理構造１０は、並設された複数の導体Ｓを絶縁被覆してなるフラット電線ＦＤの端部に、圧接コネクタ５０を取付ける為のものである。
複数の絶縁導体Ｄが絶縁連結部２０により並列に連結された前記フラット電線ＦＤの端部には、末端部２１を除いた所定範囲の絶縁連結部２０を切除して各絶縁導体Ｄの間隔を幅方向に調整可能とした圧接部分２２が形成される（図６、参照）。
【００１８】
前記圧接コネクタ５０は、図３及び図４に示したように、圧接刃４２を備えた複数の圧接端子金具４０を並列に収容するコネクタハウジング６０と、前記圧接刃４２に対する前記圧接部分２２を覆うように前記コネクタハウジング６０に取付けられるカバー７０とを備えている。
【００１９】
前記圧接端子金具４０は、一端に筒状の端子接続部４１を有すると共に、他端には端子嵌合方向に対して垂直に各絶縁導体Ｄを圧接する一対の平行な圧接刃４２，４２を有しており、各圧接刃４２には中央に絶縁導体Ｄを圧接する切欠き４４が圧接方向に設けられている。これら端子接続部４１と圧接刃４２とはＬ字形状をした連結部４３により連結されている。
そして、前記コネクタハウジング６０に前記端子接続部４１がそれぞれ並列に収容される各圧接端子金具４０は、前記圧接刃４２がそれぞれコネクタ上下方向に千鳥状に配置される。
【００２０】
絶縁性樹脂により形成される前記コネクタハウジング６０は、前記圧接端子金具４０の端子接続部４１をそれぞれ収納する複数個の端子収容室６１が並列に設けられており、前面（図４中、左側面）には図示しない相手方端子が挿入される端子挿入口６１ａが開口している。
前記コネクタハウジング６０の天板６０Ｕ及び底板６０Ｌの後端部（図３中、左側端部）には、上下に走る絶縁導体Ｄを保持案内する案内凹部６４Ｕ，６４Ｌがそれぞれ複数個並列して設けられている。また、図３に示すように、前記コネクタハウジング６０の後端面における上下の案内凹部６４Ｕ，６４Ｌの間には、隣接する絶縁導体Ｄを仕切るための仕切り板６５が上下方向に延設されている。
【００２１】
また、前記コネクタハウジング６０の天板６０Ｕの上面には、圧接コネクタ５０を例えば電気箱等の相手コネクタ部に取り付けた際に、脱落防止のためのロックアーム６６が弾性変形可能に設けられている。コネクタハウジング６０の両側板６７の外側面には、カバー７０を取り付けた際に該カバー７０を係止するための係止突起６８が設けられている。
【００２２】
図３及び図４に示したように、前記カバー７０は略平板状を成しており、左右両側にロックアーム７１が突出して設けられている。このロックアーム７１は、前記コネクタハウジング６０の係止突起６８により係止されて、カバー７０がコネクタハウジング６０から脱落するのを防止する。
カバー７０の上面及び下面には、コネクタハウジング６０の案内凹部６４Ｕ，６４Ｌに対応して、各絶縁導体Ｄをそれぞれ後方へ案内するガイドリブ５１ａがそれぞれ前後方向に延設されている。また、カバー７０の内面には、各絶縁導体Ｄを圧接方向に押圧付勢可能な押圧突起７２が突設されている。
【００２３】
次に、本発明に係るフラット電線の端末処理方法について説明する。
図５（Ａ）〜（Ｄ）はフラット電線の端末処理方法の各工程を示す説明図であり、図６は圧接コネクタ５０のコネクタハウジング６０を圧接部分２２の各絶縁導体Ｄに圧接した状態を示す斜視図である。
【００２４】
先ず、図５（Ａ）に示すように、電線供給機８０にセットされたフラット電線ＦＤの先端を電線押え８１ａにより挟持しながら、所定の長さまで引き出す。
次に、図５（Ｂ）に示すように、電線供給機８０側の電線押え８２ａによりフラット電線ＦＤを押えて、該フラット電線ＦＤを切断する。また、前記各電線押え８１ａ，８２ａの中央側には、所定範囲の絶縁連結部２０を長手方向に沿って切除して各絶縁導体Ｄの間隔を幅方向に調整可能とした圧接部分２２が形成される。
【００２５】
そして、図５（Ｃ）に示すように、各圧接部分２２を挟んで両電線押え８１ａ，８２ａの中央側の位置には、各コネクタハウジング６０をフラット電線ＦＤの圧接部分２２に圧接するための間隔をおいて電線押え８１ｂ，８２ｂが各々配置され、これら電線押え８１ａ，８１ｂ及び電線押え８２ａ，８２ｂは、それぞれ各圧接部分２２の長手方向前後両側に位置してフラット電線ＦＤの末端部２１及び中央側のフラット電線ＦＤが動かないように保持固定し、各圧接部分２２に一定の張力を付与した状態とする。
【００２６】
そこで、図５（Ｄ）に示すように、コネクタハウジング６０に取付けられた圧接端子金具４０の圧接刃４２に前記フラット電線ＦＤの圧接部分２２を圧接する。
この際、前記圧接部分２２の長手方向前後両側に位置するフラット電線ＦＤの末端部２１及び中央側のフラット電線ＦＤが動かないように保持固定されると共に、前記圧接部分２２の各絶縁導体Ｄが間隔を幅方向に調整可能とされているので、図６に示したように、これら絶縁導体Ｄが高精度な各圧接刃４２のピッチに合わせて正確に位置決めされ、確実に圧接される。
【００２７】
その後、前記圧接刃４２に対する前記圧接部分２２を覆うように前記コネクタハウジング６０にカバー７０を取付け、該カバー７０により各絶縁導体Ｄを挟持固定する。
更に、図７及び図８に示すように、前記フラット電線ＦＤの端部を前記カバー７０の外面（図７中、上下面）に沿わせるようにして、余長部分となった前記末端部２１を折り返して中央側（図７中、右側）の前記フラット電線ＦＤに重ね合わせる。この状態で、図１及び図２に示したように、前記末端部２１の端末面３１を内包して外部から絶縁するように、絶縁テープ等の結束部材３０を巻装する。
【００２８】
そこで、上述したように電線供給機８０からフラット電線ＦＤを引き出す時からコネクタハウジング６０に圧接部分２２を圧接する時まで、各電線押え８１ａ，８２ａにより挟持されており、圧接が完了し時点で不要な余長部分と成った前記末端部２１は、中央側の前記フラット電線ＦＤに重ね合わせるようにして折り返され、且つ、結束部材３０により結束されるので、バタつきが防止される。
【００２９】
また、前記末端部２１の端末面３１は、巻装した結束部材３０により覆われて外部から絶縁されると共に、該末端部２１は絶縁連結部２０により各絶縁導体Ｄの間隔が保持されたままであるので、隣接する末端面３１の導体Ｓ同士が不用意に接近することもなく、リークや短絡を確実に防止することができる。
【００３０】
更に、前記フラット電線ＦＤの端部を前記カバー７０の外面に沿わせるようにして余長部分となった前記末端部２１を折り返し、中央側の前記フラット電線ＦＤに重ね合わせて結束部材３０により結束することにより、該フラット電線ＦＤの端部が前記カバー７０の外面に沿って密着固定されるので、フラット電線ＦＤに引張り力が作用した際にも、前記圧接刃４２に対する前記圧接部分２２の圧接部は影響を受け難くなる。
【００３１】
また、本実施形態のカバー７０は、外面に沿って密着固定された各絶縁導体Ｄを整列可能な複数のガイドリブ５１ａがそれぞれ前後方向に延設されているので、フラット電線ＦＤにコネクタ幅方向（図８中、上下方向）への引張り力が作用した場合にも、絶縁導体Ｄが幅方向にズレたり、引張り力が圧接部に影響を与えたりするのを防止できる。
【００３２】
なお、本発明のフラット電線の端末処理構造及び端末処理方法は、上述した本実施形態の構成に限定されるものでなく、本発明の趣旨に基づいて種々の形態を採りうることができる。
例えば、上述した実施形態では、圧接刃４２を備えた圧接端子金具４０が、端子接続部４１との間にＬ字形状をした連結部４３を備えているが、直線状の連結部を備えた公知の圧接端子金具を用いても良い。また、コネクタハウジンやカバー等の構成も、上記実施形態の構成に限定されるものではない。
【００３３】
【発明の効果】
以上説明したように、本発明のフラット電線の端末処理構造及び端末処理方法によれば、複数の絶縁導体が絶縁連結部により並列に連結されたフラット電線の端部には、絶縁連結部により各絶縁導体の間隔が保持されたままの末端部と、所定範囲の絶縁連結部を長手方向に沿って切除することにより各絶縁導体の間隔を幅方向に調整可能とされた圧接部分とが形成される。
【００３４】
そして、前記フラット電線の端部をコネクタハウジングの圧接端子金具の圧接刃に圧接する際には、前記圧接部分の長手方向前後両側に位置する前記末端部及び中央側のフラット電線が動かないように保持固定されると共に、前記圧接部分の各絶縁導体が間隔を幅方向に調整可能とされているので、これら絶縁導体が高精度な各圧接刃のピッチに合わせて正確に位置決めされ、確実に圧接される。
【００３５】
そして、前記圧接刃に対する前記圧接部分を覆うように前記コネクタハウジングにカバーを取付け、該カバーにより各絶縁導体を挟持固定した後、前記フラット電線の端部を前記カバーの外面に沿わせるようにして、余長部分となった前記末端部を折り返して中央側の前記フラット電線に重ね合わせる。この状態で、前記末端部の端末面を内包して外部から絶縁するように、結束部材を巻装する。
【００３６】
そこで、圧接完了後に余長部分となった前記末端部は、中央側の前記フラット電線に重ね合わせるようにして折り返され、且つ、結束部材により結束されるので、バタつきが防止される。
また、前記末端部の端末面が、巻装した結束部材により覆われて外部から絶縁されると共に、該末端部は絶縁連結部により各絶縁導体の間隔が保持されたままであるので、隣接する末端面の導体同士が不用意に接近することもなく、リークや短絡を確実に防止することができる。
【００３７】
更に、前記フラット電線の端部を前記カバーの外面に沿わせるようにして余長部分となった前記末端部を折り返し、中央側の前記フラット電線に重ね合わせて結束部材により結束することにより、該フラット電線の端部が前記カバーの外面に沿って密着固定されるので、フラット電線に作用する引張り力に対して十分な強度を確保することができ、該フラット電線に引張り力が作用した際にも、前記圧接部は影響を受け難くなる。
【図面の簡単な説明】
【図１】本発明の一実施形態に係るフラット電線の端末処理構造を示す後方向から見た斜視図である。
【図２】図１に示したフラット電線の端末処理構造を前方から斜視図である。
【図３】図１に示した圧接コネクタの分解斜視図である。
【図４】図２に示した圧接コネクタの分解斜視図である。
【図５】フラット電線の端末処理方法の各工程を示す説明図である。
【図６】コネクタハウジングにフラット電線を圧接した状態を示す斜視図である。
【図７】図６に示したコネクタハウジングにカバーを取付け、フラット電線の末端部を折り返した状態を示す圧接コネクタの側面図である。
【図８】図６に示したコネクタハウジングにカバーを取付け、フラット電線の末端部を折り返した状態を示す圧接コネクタの平面図である。
【図９】従来のフラット電線の端末処理構造の一例を示す斜視図である。
【符号の説明】
１０  端末処理構造
２０  絶縁連結部
２１  末端部
２２  圧接部分
３０  結束部材
３１  端末面
４０  圧接端子金具
４２  圧接刃
５０  圧接コネクタ
７０  カバー
Ｄ  絶縁導体
ＦＤ  フラット電線
Ｓ  導体
【図１】
2004165055.tif 000003
【図２】
2004165055.tif 000004
【図３】
2004165055.tif 000005
【図４】
2004165055.tif 000006
【図５】
2004165055.tif 000007
【図６】
2004165055.tif 000008
【図７】
2004165055.tif 000009
【図８】
2004165055.tif 000010
【図９】
2004165055.tif 000011